(57)【要約】【課題】タッチスクリーンが小さすぎて素手で正確にダイヤル操作できない問題を解決すると同時に、装置のデザイン感を保つ。【解決手段】情報入力装置は、圧力検知ユニットと、表示ユニットと、処理ユニットとを含んでいる。圧力検知ユニットは、少なくとも一つの押圧点及び少なくとも一つの押圧点による操作圧力を検知し、かつ少なくとも一つの押圧点の数及び操作圧力の組合せ形態は、特定圧力配置状態の中の状態において信号を生成する。表示ユニットは、選択部と、特定圧力配置状態を表す特定位置目標とを提供し、処理ユニットは、信号に基づいて表示ユニットを特定位置目標を選択させ、特定圧力配置状態を表す入力情報を生成する。【選択図】図３
2016015112.tif 000002
【特許請求の範囲】
【請求項１】
少なくとも一つの第一押圧点及び少なくとも前記第一押圧点によって形成された操作圧力を検知し、前記少なくとも一つの第一押圧点の数と前記操作圧力とが、第一特定圧力配置状態の条件において第一信号が生じることを第一組合せ形態とする第一圧力検知ユニットと、
選択部と、前記第一特定圧力配置状態を表す第一特定位置目標と、を提供する表示ユニットと、
前記第一信号に基づいて前記表示ユニットを前記選択部によって前記第一特定位置目標を選択させ、前記第一特定圧力配置状態を表す入力情報を生成する処理ユニットと、を含むことを特徴とする情報入力装置。
【請求項２】
前記少なくとも一つの第一押圧点の数及び前記操作圧力の組合せは複数のデフォルト圧力配置状態を有し、前記複数のデフォルト圧力配置状態は、前記第一特定圧力配置状態と、前記第一特定圧力配置状態と異なる第二特定圧力配置状態とを含み、
前記複数のデフォルト圧力配置状態のいずれの状態は、各自のデフォルト押圧点の数と各自のデフォルト圧力の範囲を有し、
前記表示ユニットは、前記選択部と関連する複数のデフォルト位置目標を提供し、前記複数のデフォルト位置目標は、それぞれ前記複数のデフォルト圧力配置状態を表し、かつ前記第一特定目標を含み、
前記少なくとも一つの第一押圧点の数及び前記操作圧力との前記組合せは、第一特定時間において前記第一組合せ形態と等しくなり、第二特定時間において第二組合せ形態と等しくなり、前記第二特定時間は、前記第一特定時間よりも早く、
前記少なくとも一つの第一押圧点の数は、前記第一特定時間と前記第二特定時間においてそれぞれ第一整数と第二整数となり、前記操作圧力は、前記第一特定時間と前記第二特定時間においてそれぞれ第一圧力レベルと第二圧力レベルであり、
前記第一組合せ形態は、前記第一整数と前記第一圧力レベルを含み、前記第一整数は、前記第一整数は、前記第一特定圧力配置状態のデフォルト押圧点の数と等しくなり、前記第一圧力レベルは前記第一特定圧力配置状態のデフォルト圧力範囲に入っており、
前記操作圧力が前記少なくとも一つの第一押圧点において、いずれの点は各自の圧力分量を有し、
前記処理ユニットは、前記圧力検知ユニットに通じて前記各自の圧力分量をデジタル化して各自のデジタル化圧力値を生成し、前記各自のデジタル化圧力値は複数のビットで表示し、
前記処理ユニットは、前記第一信号によって前記第一組合せ形態の特定デジタル化圧力レベルを生成し、
前記処理ユニットは、前記特定デジタル化圧力レベルに基づいて、前記第一組合せ形態が前記第一特定圧力配置状態に合致すると判定した場合、前記表示ユニットが前記選択部を用いて前記複数のデフォルト位置目標から前記第一特定位置目標を選択し、前記入力情報を生成し、
前記圧力検知ユニットは、圧力検知パネルを含み、前記圧力検知パネルは、圧力検知領域を有する圧力検知アレイを含み、前記少なくとも一つの第一押圧点のいずれは、前記圧力検知領域に独立して配置され、
前記表示ユニットは、表示パネルを含み、前記表示パネルは前記圧力検知パネルと共にタッチスクリーンを構成し、
前記複数のデフォルト位置目標は、それぞれ複数のデフォルト符号を表し、別々に複数のデフォルトコードを有し、前記複数のデフォルトコードは、それぞれ前記複数のデフォルト配置状態を表し、前記入力情報は、前記複数のデフォルトコードの中の一つと等しくなり、
前記操作圧力が停止される過程の開始瞬間において、前記第一組合せ形態は前記第一特定圧力配置状態に入り、前記圧力検知ユニットは前記第一信号を生成し、
前記処理ユニットは、前記圧力検知ユニットを通じて前記開始瞬間を検知して前記入力情報を生成し、
前記複数のデフォルト位置目標は、さらに前記第一特定位置目標とは異なる第二特定位置目標を含み、前記第二特定位置目標は、前記第二特定圧力配置状態を表し、
前記第二組合せ形態は、前記第二特定圧力配置状態に入っている場合、前記圧力検知ユニットが第二信号を生成し、
前記第二組合せ形態は、前記第二整数と前記第二圧力レベルを含み、
前記第二整数は、前記第二特定圧力配置状態のデフォルト押圧点の数と等しくなり、前記第二圧力レベルは、前記第二特定圧力配置状態のデフォルト圧力範囲の中に入り、
前記処理ユニットは、前記第二信号に基づいて前記第二組合せ形態が前記第二特定圧力配置状態に入っていることを判定した場合、前記表示ユニットを前記選択部によって前記複数のデフォルト位置目標から前記第二特定位置目標を選択させ、
前記少なくとも一つの第一押圧点の数は、１より大きい場合、前記操作圧力は複数の子圧力を含み、前記操作圧力は前記複数の子圧力の集合圧力となり、
前記処理ユニットは、入力コマンドに基づいて前記情報入力装置が複数の操作モードの中のいずれに入っているようにし、前記複数の操作モードは、第一操作モードと、第二操作モードと、第三操作モードを含み、
前記情報入力装置が前記第一操作モードに入っている場合、
前記複数のデフォルト圧力配置状態の前記いずれの状態の前記各自のデフォルト押圧点の数は１と等しくなり、
前記処理ユニットは、前記複数のデフォルト位置目標が前記表示ユニットに第一線形目標アレイとして並ぶようにし、
前記複数のデフォルト圧力配置状態の前記いずれの状態の前記各自のデフォルト圧力範囲は独立しており、
前記情報入力装置は、前記第二操作モードにおいて操作される場合、前記複数のデフォルト圧力状態の前記いずれの状態の前記各自のデフォルト押圧点の数は１と等しく、または１より大きくなり、
前記処理ユニットは、前記複数のデフォルト位置目標が前記表示ユニットに第一複数線形目標アレイとして並ぶようにし、
前記複数のデフォルト圧力配置状態のいずれの状態の前記各自のデフォルト圧力範囲は独立しており、
前記情報入力装置が前記第三操作モードに入っている場合、
前記複数のデフォルト圧力配置状態の前記いずれの状態の前記各自のデフォルト押圧点の数は１と等しく、または１より大きくなり、
前記複数のデフォルト圧力配置状態は、複数の状態グループに分割され、それに応じて前記複数のデフォルト位置目標が複数の目標グループに分割され、前記複数の目標グループのいずれのグループは、特定数の複数の目標メンバーに構成され、前記複数の状態グループのいずれのグループは、前記特定数の複数の状態メンバーに構成され、かつ各自のグループ押圧点の数と、各自のグループ圧力範囲を有し、
前記複数の状態グループの前記いずれのグループの前記各自のグループ圧力範囲は独立しており、前記複数の状態グループは、特定状態グループを含み、かつ前記特定状態グループは、前記第一特定圧力配置状態を含み、
前記いずれのグループの前記複数の状態メンバーのいずれの状態の各自のデフォルト押圧点の数は、前記いずれのグループの前記各自ののグループの押圧点の数と等しくなり、かついずれのグループの前記複数の状態メンバーのいずれの状態の各自のデフォルト圧力範囲は、前記いずれのグループの前記各自ののグループ圧力範囲と等しくなっており、
前記処理ユニットは、前記複数の目標グループが前記表示ユニットに第二複数の線形目標アレイとして並ぶようにし、
前記複数のデフォルト圧力配置状態の前記いずれの状態は、さらに各自のデフォルト停留時間範囲を有し、
前記第一組合せ形態が前記特定形態グループに入っている場合、前記第一組合せ形態は、前記特定形態グループに用いられる状態停留時間を有し、前記状態停留時間は、前記操作圧力が前記特定状態グループのグループ圧力範囲から計算する時間であり、
前記第一組合せ形態が前記第一特定状態に入っている場合、前記状態停留時間は、前記第一特定圧力配置状態のデフォルト停留時間範囲に入っており、
前記処理ユニットが前記入力情報を保存し、
前記処理ユニットが入力情報に基づいてダイヤル操作または情報伝送操作を行うことを特徴とする請求項１に記載の情報入力装置。
【請求項３】
前記情報入力装置は、さらに装置本体を含み、
前記装置本体は、フロント部と、前記フロント部にカップリングされるサイド部とを含み、
前記表示ユニットは、前記フロント部に設置され、発光ダイオード表示スクリーンを含み、かつ前記処理ユニットにカップリングされ、
前記圧力検知ユニットは、少なくとも一つの圧力検知パネルを有し、前記少なくとも一つの圧力検知パネルは、前記サイド部に設置され、かつ前記処理ユニットにカップリングされ、
前記処理ユニットは、前記装置本体にカップリングされることを特徴とする請求項１に記載の情報入力装置。
【請求項４】
前記情報入力装置は、さらに装置本体を含み、
前記装置本体は、フロント部とバック部を含み、
前記表示ユニットは、前記バック部に設置され、かつ前記処理ユニットにカップリングされ、
前記圧力検知ユニットは、複数の圧力検知ユニットを含み、前記複数の圧力検知ユニットは、前記フロント部に分離設置され、かつすべて前記処理ユニットにカップリングされており、
前記入力情報は、代表符号を有し、
前記処理ユニットは、前記装置本体にカップリングされ、かつ前記表示ユニットに前記代表符号を表示させることを特徴とする請求項１に記載の情報入力装置。
【請求項５】
少なくとも第一押圧点及び前記少なくとも第一押圧点を押圧することによる操作圧力を検知し、前記少なくとも第一押圧点の数及び前記操作圧力の第一組合せ形態は、第一特定圧力配置状態に入っている状態に第一信号を生成し、前記操作圧力は前記少なくとも第一押圧点におけるいずれの点に各自の圧力分量を有する圧力検知ユニットと、
前記圧力検知ユニットに通じて前記各自の圧力分量をデジタル化して、それに応じて各自のデジタル化圧力値を生成し、前記第一信号によって前記第一特定圧力配置状態を表す入力情報を生成し、前記各自のデジタル化圧力値は複数のビットによって表示される処理ユニットとを含むことを特徴とする情報入力装置。
【請求項６】
前記情報入力装置は、さらに表示ユニットを含み、
前記少なくとも第一押圧点の前記数及び前記操作圧力の組合せに複数のデフォルト圧力配置状態を有し、前記複数のデフォルト圧力配置状態は、前記第一特定圧力配置状態と、前記第一特定圧力配置状態と異なる第二特定圧力配置状態とを含み、
前記デフォルト圧力配置状態のいずれの状態に各自のデフォルト押圧点の数及び各自のデフォルト圧力範囲を有し、
前記表示ユニットは、前記処理ユニットにカップリングされ、選択部と前記選択部と関連する複数のデフォルト位置目標とを提供し、前記複数のデフォルト位置目標は、それぞれ前記複数のデフォルト圧力配置状態を表し、前記第一特定圧力配置状態を表す第一特定位置目標を含み、
前記少なくとも第一押圧点の前記数及び前記操作圧力の前記組合せは、第一特定時間に前記第一組合せ形態と等しくなり、第二特定時間において第二組合せ形態と等しくなり、前記第二特定時間は、前記第一特定時間よりも早くなり、
前記少なくとも第一押圧点の前記数は、前記第一特定時間と前記第二特定時間においてそれぞれ第一整数と第二整数と等しくなり、前記操作圧力は、前記第一特定時間と前記第二特定時間においてそれぞれ第一圧力レベルと第二圧力レベルと等しくなり、
前記第一組合せレベルは、前記第一整数及び前記第一圧力レベルとを含み、前記第一整数は、前記第一特定圧力配置状態のデフォルト押圧点の数と等しくなり、
前記第一圧力レベルは、前記第一特定圧力配置状態のデフォルト圧力範囲に入っており、
前記処理ユニットは、前記第一信号に基づいて、前記第一組合せ形態の特定デジタル化圧力レベルを生成し、
前記処理ユニットは、前記特定デジタル化圧力レベルに基づいて、前記第一組合せ形態は、前記第一特定圧力配置状態に入っていることを判定し、前記表示ユニットが前記選択部を用いて前記複数のデフォルト位置目標から前記第一特定位置目標を選択し、前記入力情報を生成し、
前記圧力検知ユニットは、圧力検知パネルを含み、前記圧力検知パネルは、圧力検知領域の圧力検知アレイを有し、前記少なくとも一つの第一押圧点のいずれは、前記圧力検知領域に独立して配置され、
前記表示ユニットは、表示パネルを含み、前記表示パネル及び前記圧力検知パネルがタッチスクリーンを構成し、
前記複数のデフォルト位置目標は、それぞれ複数のデフォルト符号を表し、それぞれ複数のデフォルトコードを有し、前記複数のデフォルトコードはそれぞれ前記複数のデフォルト圧力配置状態を表し、前記入力情報は、前記複数のデフォルトコードのいずれと等しくなり、
前記操作圧力が停止される過程の開始瞬間に、前記第一組合せ形態は、前記第一特定圧力配置状態に入っており、かつ前記圧力検知ユニットが前記第一信号を生成し、
前記処理ユニットは、前記圧力検知ユニットに通じて前記開始瞬間を検知して前記入力情報を生成し、
前記複数のデフォルト位置目標は、さらに前記第一特定位置目標と異なる第二特定位置目標とを含み、かつ前記第二特定位置目標は、前記第二特定圧力配置状態を表し、
前記第二組合せ形態は、前記第二特定圧力配置状態に入っている場合、前記圧力検知ユニットが第二信号を生成し、
前記第二組合せ形態が前記第二整数及び前記第二圧力レベルを含み、
前記第二整数は、前記第二特定圧力配置状態のデフォルト押圧点の数と等しくなり、かつ前記第二圧力レベルは前記第二特定圧力配置状態のデフォルト圧力範囲に入っており、
前記処理ユニットは、前記第二信号に基づいて前記第二組組合せ形態は、前記第二特定圧力配置状態に入っていることを判定した場合、前記表示ユニットを用いて前記選択部が前記複数のデフォルト位置目標から前記第二特定位置目標を選択するようにし、
前記少なくとも一つの第一押圧点の前記数は１より大きい場合、前記操作圧力は複数の子圧力を含み、かつ前記複数の子圧力の集合圧力となり、
前記処理ユニットが入力コマンドに基づいて前記情報入力装置が複数の操作モードのいずれにおいて操作されるようにし、前記複数の操作モードは、第一操作モードと、第二操作モードと、第三操作モードとを含み、
前記情報入力装置が前記第一操作モードに入っている場合、
前記複数のデフォルト圧力配置状態の前記いずれの状態は、前記各自ののデフォルトの押圧数は１と等しくなり、
前記処理ユニットは、前記複数のデフォルト位置目標が前記表示ユニットに第一線形目標アレイとして並ぶようにし、
前記複数のデフォルト圧力配置状態の前記いずれの状態の前記各自のデフォルト圧力範囲は独立しており、
前記情報入力装置は、前記第二操作モードにおいて操作される場合、
前記複数のデフォルト圧力配置状態のいずれの前記各自のデフォルト押圧点の数は、１と等しく、または１より大きくなり、
前記処理ユニットは、前記複数のデフォルト位置目標が前記表示ユニットに第一複数の線形目標アレイとして並ぶようにし、
前記複数のデフォルト圧力配置状態のいずれの前記各自のデフォルト圧力範囲は独立しており、
前記情報入力装置は、前記第三操作モードにおいて操作される場合、
前記複数デフォルト圧力配置状態の前記いずれの前記各自のデフォルト押圧点の数は、１と等しく、または１より大きくなり、
前記複数のデフォルト圧力配置状態が分割され、複数の状態グループになり、
前記複数デフォルト位置目標がそれに応じて複数の目標グループに分けられるようにし、前記複数の目標グループのいずれは特定数の複数の目標メンバーに構成され、かつ前記複数の状態グループのいずれは前記特定数の複数の状態メンバーに構成され、各自のグループ押圧点数および各自のグループ押圧点の数及び各自のグループ圧力範囲を有し、
前記複数の状態グループのいずれの前記各自のグループ圧力範囲は独立しており、前記複数の状態グループは、特定状態グループを含み、かつ前記特定状態グループは、前記第一特定圧力配置状態を含み、
前記複数の状態グループのいずれの前記複数の状態メンバーのいずれの各自のデフォルト押圧点の数は、前記複数の状態グループのいずれの前記各自のグループの押圧点数と等しくなり、かつ前記複数の状態グループのいずれの前記複数の状態メンバーのいずれの各自のデフォルト圧力範囲は、前記複数の状態グループのいずれの前記各自のグループ圧力範囲と等しくなり、
前記処理ユニットは、前記複数の目標グループが前記表示ユニットに第二複数の線形目標アレイとして並ぶようにし、
前記複数のデフォルト圧力配置状態のいずれはさらに各自のデフォルト停留時間範囲を有し、
前記第一組合せ形態は、前記特定状態グループに入っている場合、前記第一組合せ形態は、前記特定状態グループに用いられる状態停留時間を有することであり、前記状態停留時間は、前記操作圧力が前記特定状態グループに入っているグループ圧力範囲から計算する時間であり、
前記第一組合せ形態は、前記第一特定状態に入っている場合、前記状態停留時間は前記第一特定圧力配置状態のデフォルト停留時間範囲に入っていることであり、
前記処理ユニットは前記入力情報を保存し、
前記処理ユニットは、前記入力情報に基づいてダイヤル操作または情報伝送操作を行うことを特徴とする請求項５に記載の情報入力装置。
【請求項７】
前記情報入力装置は、さらに装置本体を有し、
前記装置本体は、フロント部と前記フロント部にカップリングされたサイド部とを含み、
前記表示ユニットは、前記フロント部に設置され、前記処理ユニットにカップリングされ、
発光ダイオード表示スクリーンを含み、
前記圧力検知ユニットは、少なくとも圧力検知パネルを含み、前記少なくとも一つの圧力検知パネルは、前記サイド部に設置され、かつ前記処理ユニットにカップリングされ、また、
前記処理ユニットは前記装置本体にカップリングされることを特徴とする請求項５に記載の情報入力装置。
【請求項８】
前記情報入力装置は、さらに装置本体を有し、
前記装置本体はフロント部とバック部とを有し、
前記表示ユニットは、前記バック部に設置され、前記処理ユニットにカップリングされ、
前記圧力検知ユニットが、複数の圧力検知ユニットを含み、前記複数の圧力検知ユニットは、前記フロント部に分離設置され、前記処理ユニットにカップリングされ、
前記入力情報は代表符号を有し、
前記処理ユニットは、前記装置本体にカップリングされ、かつ前記表示ユニットが前記代表符号を表示させることを特徴とする請求項５に記載の情報入力装置。
【発明の詳細な説明】
【技術分野】
【０００１】
関連出願と優先権主張の相互参照
本出願は、台湾経済部智慧財産局での２０１４年７月３日に出願された特許出願第１０３１２３０７５号および２０１４年７月４日に出願された実用新案出願第１０３２１１８８２号に基づく利益を主張し、当該出願の開示は、参照によって本明細書に組み込まれる。
本発明は情報入力装置及び方法に関する。特に圧力検知を利用する情報入力装置及び方法に関する。
【背景技術】
【０００２】
図１は、従来技術のポータブル通信装置１０を示す図である。ポータブル通信装置１０はタッチスクリーン１１を含む。ダイヤル操作を行うために、ポータブル通信装置１０は、タッチスクリーン１１に複数のボタン１５１、１５２、１５３、１５４、１５５、１５６、１５７、１５８、１５９、１６０、１６１及び１６２を表示する。前記複数のボタン１５１、１５２、１５３、１５４、１５５、１５６、１５７、１５８、１５９及び１６０にぞれぞれ複数の数字記号「１」、「２」、「３」、「４」、「５」、「６」、「７」、「８」、「９」及び「０」を表示し、かつ複数ボタン１６１と１６２にそれぞれ複数の機能符号「♯」と「＊」を表示する。タッチスクリーン１１は、ボタン１５１、１５２、１５３、１５４、１５５、１５６、１５７、１５８、１５９、１６０、１６１及び１６２への押圧を検知して入力情報を生成する。ポータブル通信装置１０は前記入力情報に基づいてダイヤル操作を行う。
【０００３】
図１のポータブル通信装置１０は、タッチスクリーン１１のボタンに対するタッチを検知してダイヤル操作を行う。薄く、軽い装着式通信装置（例えばスマートウォッチ）の場合、使用者は、ダイヤル補助キット（例えばタッチペン）によって装着式通信装置のタッチスクリーンをタッチする必要があるため、補助キットの持ち運びの問題がある。
多くの市販の装着式通信装置は、ダイヤル補助キットの受入槽が設けられている。この方法はダイヤル補助キットの持ち運びの問題を解決できるが、専用のダイヤル補助キットを使用しなければならない。もし専用のダイヤル補助キットが無くなったり、使用後に受入槽に戻し忘れたりすれば、やはり使用上の不便が起きる。
【０００４】
図２は、従来技術のポータブル通信装置２０を示す図である。ポータブル通信装置２０は、スクリーン２１と、スクリーン２１とカップリングされる回しボタン２２とを含む。スクリーン２１は、複数のデフォルト位置２７０、２７１、２７２、２７３、２７４、２７５、２７６、２７７、２７８、２７９、２８０、２８１及び２８２を含んでいる。その中に複数のデフォルト位置２７０、２７１、２７２、２７３、２７４、２７５、２７６、２７７、２７８、２７９、２８０、２８１及び２８２はサークル配置を形成している。ダイヤル操作を行うために、ポータブル通信装置２０は、タッチスクリーン２１が複数のデフォルト位置２７１、２７２、２７３、２７４、２７５、２７６、２７７、２７８、２７９、２８０にそれぞれ複数の数字記号「１」、「２」、「３」、「４」、「５」、「６」、「７」、「８」、「９」、「０」を表示する。複数のデフォルト位置２８１と２８２にそれぞれ複数の機能符号「♯」と「＊」を表示し、デフォルト位置２７０に開始符号を表示する。
【０００５】
開始状態においては、回しボタン２２はアイドル状態となり、ポータブル通信装置２０は、スクリーン２１がデフォルト位置２７０に表示ボタン２９１を表示する。使用者が下部中間の回しボタン２２を回すと、表示ボタン２９１はスクリーン２１においての相応するデフォルト位置に移動する。使用者が回しボタン２２を回すことによって伝統式ダイヤル盤式電話のダイヤル方法のようにダイヤル操作を行う。もしポータブル通信装置２０のダイヤル方法を装着式通信装置に応用すれば、装着式通信装置のデザインが不自然で、かつ装着式通信装置の回しボタンは回しにくいなどの問題が生じる。
【０００６】
そのため、上記使用上の不便問題を解決し、かつデザイン感を保つ新しいダイヤル方法と装置が求められる。
【発明の概要】
【発明が解決しようとする課題】
【０００７】
本発明の目的は、タッチスクリーンが小さすぎて素手で正確にダイヤル操作できない問題を解決すると同時に、装置のデザイン感を保つことである。
【課題を解決するための手段】
【０００８】
本発明の実施例は、情報入力装置を提供している。前記情報入力装置は、圧力検知ユニットと、表示ユニットと、処理ユニットとを含んでいる。前記圧力検知ユニットは、少なくとも一つの押圧点及び前記少なくとも一つの押圧点による操作圧力を検知し、かつ前記少なくとも一つの押圧点の数及び前記操作圧力の組合せ形態は、特定圧力配置状態の中の状態において信号を生成する。前記表示ユニットは、選択部と、前記特定圧力配置状態を表す特定位置目標とを提供し、前記処理ユニットは、前記信号に基づいて前記表示ユニットを前記特定位置目標を選択させ、前記特定圧力配置状態を表す入力情報を生成する。
【０００９】
本発明のもう一つの実施例は、情報入力装置を提供している。前記情報入力装置は、圧力検知ユニットと、処理ユニットを含んでいる。前記圧力検知ユニットは、少なくとも一つの押圧点及び前記少なくとも一つの押圧点による操作圧力を検知し、かつ前記少なくとも一つの押圧点の数と操作圧力の組合せ形態は、特定圧力配置状態の中の状態において信号を生成し、前記操作圧力は、前記少なくとも一つの押圧点のいずれの点に各自の圧力分量を有し、前記処理ユニットは前記圧力検知ユニットに通じて前記各自の圧力分量をデジタル化し、それに応じて各自のデジタル化圧力を生成し、前記信号に基づいて前記特定圧力配置状態の入力情報を生成し、前記各自のデジタル化圧力は複数のビットによって表示される。
【図面の簡単な説明】
【００１０】
【図１】従来技術のポータブル通信装置を示す図である。
【図２】従来技術のポータブル通信装置を示す図である。
【図３】本発明の多様な実施例中の一つの情報入力装置を示す模式図である。
【図４】本発明の多様な実施例中の一つの情報入力装置を示す模式図である。
【図５】本発明の多様な実施例中の一つの情報入力装置を示す模式図である。
【図６】本発明の多様な実施例中の一つの情報入力装置を示す模式図である。
【図７】本発明の多様な実施例中の一つの情報入力装置を示す模式図である。
【図８Ａ】本発明の多様な実施例中の一つの情報入力装置の正面模式図である。
【図８Ｂ】本発明の多様な実施例中の一つの情報入力装置の背面模式図である。
【発明を実施するための形態】
【００１１】
図３は、本発明の多様な実施例中の一つの情報入力装置３０の構造を示す模式図である。情報入力装置３０は、表示ユニット３１と、圧力検知ユニット３２と、処理ユニット３３とを含んでいる。表示ユニット３１と圧力検知ユニット３２とも処理ユニット３３にカップリングされている。圧力検知ユニット３２は、少なくとも一つの押圧点３２A１１及び少なくとも一つの押圧点A１１で形成した操作圧力P１を検知し、前記少なくとも一つの押圧点A11の数N１及び操作圧力P1の組合せB1は、特定圧力配置状態CA1中の条件において信号S1を生成する。表示ユニット３１は、選択部L1と、特定圧力配置状態CA1を表す特定位置目標DA1とを提供する。処理ユニット３３は信号S1に基づいて、表示ユニット３１が選択部L1で特定位置目標DA1を選択し、特定圧力配置状態CA1の入力情報Q1を生成するようにする。
【００１２】
他の実施例において、少なくとも一つの押圧点A11の数値N1及び操作圧力P1の組合せBAは、複数のデフォルト圧力配置状態C01、C02、C03、C04…及びC12を有している。複数のデフォルト圧力配置状態C01、C02、C03、C04…及びC12は、特定圧力配置状態CA１（例えばCA1はC04と同じ）と、特定圧力配置状態CA１と異なる特定圧力配置状態CA2と同じ値（例えばCA2はC02と同じ）と、を含んでいる。複数のデフォルト圧力配置状態C01、C02、C03、C04…及びC12のいずれの状態には、各自のデフォルト押圧点の数値NAと、び各自のデフォルト圧力範囲PRを有している。表示ユニット３１は、選択部L１に関する複数のデフォルト位置目標D01、D02、D03、D04…及びD12を提供し、その中に複数のデフォルト位置目標D01、D02、D03、D04…及びD12は、それぞれ複数のデフォルト圧力配置状態C01、C02、C03、C04…及びC12を表し、特定位置目標DA1（例えばDA1はD04と同じ）を含んでいる。例えば、選択部L1はマークであって、複数のデフォルト位置目標D01、D02、D03、D04…及びD12は固定されている。
【００１３】
少なくとも一つの押圧点A11の数値N1及び操作圧力P1の組合せBAは、特定時間T11において組合せ形態B1と等しくなり、かつ特定時間T12において組合せ形態B2と等しくなり、特定時間T12 は特定時間T11より早い。少なくとも一つの押圧点の数N1は特定時間T11と特定時間T12においてそれぞれ整数N11とN12と等しくなり、かつ操作圧力P1は特定時間T11と特定時間T12においてそれぞれ圧力レベルP11と圧力レベルP12と等しくなる。例えば圧力レベルP11は圧力レベルP12より大きい。
【００１４】
組合せ形態B1は整数N11と圧力レベルP11とを含んでいる。整数N11は特定圧力配置状態CA1のデフォルト押圧点数NAとなり、圧力レベルP11は特定圧力配置状態CA1のデフォルト圧力範囲PRに入っている。操作圧力P1は少なくとも一つの押圧点A11のいずれに各自の圧力分量PCを有している。処理ユニット33は圧力検知ユニット32に通じて各自圧力分量PCをデジタル化して、それに応じて各自のデジタル化圧力RPを生成し、各自デジタル化圧力RPは複数のビットにより表示する。例えば前記複数のビットは8ビットまたはより多くのビットである。
【００１５】
処理ユニット33は信号S1に基づいて組合せ形態B1の特定デジタル化圧力レベルRA1を生成する。処理ユニット33は、特定デジタル化圧力レベルRA1に基づいて組合せ形態B1が特定圧力配置状態CA1に入っていることを判定した場合、表示ユニット31を選択部L1を用いて複数のデフォルト位置目標D01、D02、D03、D04…及びD12の中から特定位置目標DA1を選択させ、入力情報Q1を生成する。
【００１６】
圧力検知ユニット32は、圧力検知パネル320を含んでいる（圧力検知ユニット32が圧力検知パネル320となってもよい）。圧力検知パネル320は圧力検知領域321Aの圧力検知アレイ321を含み、かつ少なくとも一つの押圧点A11のいずれは圧力検知領域321Aに独立して設けられる。表示ユニット31は表示パネル310を含み（表示ユニット31は表示パネル310となってもよい）、表示パネル310と圧力検知パネル320は互いにマッチングし、タッチスクリーン41を構成している。例えば、圧力検知パネル320は表示パネル310に配置され、圧力検知アレイ321は透明となり、かつ圧力検知ユニット32は少なくとも一つの押圧点A11を有している。
【００１７】
複数のデフォルト目標D01、D02、D03、D04…及びD12はそれぞ複数のデフォルト符号F01、F02、D03、F04…及びF12を表しており、かつ複数のデフォルトコードK01、K02、K03、K04…及びK12を有し、複数のデフォルトコードK01、K02、K03、K04…及びK12はそれぞれ複数のデフォルト圧力配置状態C01、C02、C03、C04…及びC12を表しており、かつ入力情報Q1は複数のデフォルトコードK01、K02、K03、K04…及びK12のいずれと等しくなる。他の実施例として、複数のデフォルト圧力配置状態C01、C02、C03、C04…及びC12はそれぞれ複数のデフォルトコートK01、K02、K03、K04…及びK12を有している。操作圧力P1が停止またはリリースされた過程の開始瞬間において、組合せ形態B1は特定圧力配置状態CA1の中に入っており、かつ圧力検知ユニット32が信号S1を生成する。処理ユニット33は圧力検知ユニット32に通じて前記開始瞬間を検知して入力情報Q1を生成する。例えば、処理ユニット33は前記複数のデフォルトコードK01、K02、K03、K04…及びK12を予め設定する。
【００１８】
他の実施例において、複数のデフォルト位置目標D01、D02、D03、D04…及びD12はさらに特定位置目標DA1と異なる特定位置目標DA2（例えばDA2はD02と同じ）、かつ特定位置目標DA2は特定圧力配置状態B2を表している。組合せ形態B2が特定圧力配置状態CA2に入っている場合、圧力検知ユニット32は信号S2を生成する。組合せ形態B2は整数N12と圧力レベルP12を含んでおり、整数N12は特定圧力配置状態CA2のデフォルト押圧点数NAとなり、かつ圧力レベルP12は特定圧力配置状態CA2のデフォルト圧力範囲PRに入っている。
【００１９】
処理ユニット33は信号S2に基づいて組合せ形態B2が特定圧力配置状態CA2に入っていることを判定した場合、表示ユニット31を選択部L1を用いて複数のデフォルト位置目標D01、D02、D03、D04…及びD12から特定位置目標DA2を選択させる。例えば、表示ユニット31が選択部L1を表示し、選択部L1を用いて特定位置目標DA2をマークさせる。
【００２０】
他の実施例において、複数のデフォルト圧力配置状態C01、C02、C03、C04…及びC12の中に、それぞれ複数のデフォルト位置目標D01、D02、D03、D04…及びD12を有している。複数のデフォルト圧力配置状態C01、C02、C03、C04…及びC12はデフォルト序列に基づいて配列する。少なくとも一つの押圧点A11の数N1 が、整数N12からN11に変更され、操作圧力P1が圧力レベルP12から圧力レベルP11に変更された場合、少なくとも一つの押圧点A11の数N1及び操作圧力P1の組合せBAが、組合せ形態B2から組合せ形態B1に変更され、選択部L1が特定位置目標DA2から特定位置目標DA1に移動される。例えば、操作圧力P1は特定の時点T11に停止またはリリースされ、圧力レベルP11は停止圧力レベルである。
【００２１】
他の実施例において、少なくとも一つの押圧点A11の数N1は1より大きい場合、操作圧力P1は複数の子圧力を含み、前記複数の子圧力の集合圧力となっている。例えば、少なくとも一つの押圧点A11の数N1は3となると、少なくとも一つの押圧点A11は三つの押圧点A11、A12、A13を含む。操作圧力P1はそれぞれ三つの押圧点A11、A12、A13の三つの子圧力P1A、P1B、P1Cを含む。前記集合圧力は、三つの子圧力P1A、P1B及びP1Cの合計値となる。例えば、三つの押圧点A11、A12及びA13は互いに分離しており、それぞれ三つの押す力を受ける点となっている。操作圧力P1は、押圧点A11における圧力分量PCは子圧力P1Aと等しくなり、操作圧力P1が押圧点A12における圧力分量PCは、子圧力P1Bと等しくなり、操作圧力P1が押圧点A13における圧力分量PCは子圧力P1Cと等しくなる。
【００２２】
処理ユニット３３は、入力コマンドU１を入力することで情報入力装置３０が複数の操作モードM１、M２及びM３のいずれにおいて操作されるようにし、複数の操作モードM1、M2及びM3は、操作モードM1、操作モードM2及び操作モードM3を含んでいる。例えば、入力コマンドU1は、圧力検知ユニット３２に通じて入力されるユーザー入力コマンドである。他の実施例において、情報入力装置３０が操作モードM1で操作される場合、情報入力装置３０は下記の特徴を有している。即ち、複数のデフォルト圧力配置状態C01、C02、C03、C04…及びC12のいずれの状態の各自のデフォルト押圧点の数NAは１となり、処理ユニット３３は複数のデフォルト位置目標D01、D02、D03、D04…及びD12が表示ユニット３１に一つの第一線形目標アレイと並び、複数のデフォルト圧力配置状態C01、C02、C03、C04…及びC12のいずれの状態の各自のデフォルト圧力範囲PRはそれぞれ独立している。
【００２３】
情報入力装置３０が、操作モードM２で操作される場合、情報入力装置３０は下記特徴を含む。複数のデフォルト圧力配置状態C01、C02、C03、C04…及びC12のいずれの各自のデフォルト押圧点の数NAは1と等しく、または1より大きくなり、処理ユニット33は、複数のデフォルト位置目標D01、D02、D03、D04…及びD12が表示ユニット31に第一複数線形目標アレイとして並ぶようにし、複数のデフォルト圧力配置状態C01、C02、C03、C04…及びC12のいずれの状態の各自のデフォルト圧力範囲PRは独立している。例えば、情報入力装置３０が操作モードM1と操作モードM２のいずれにおいて操作される場合、複数のデフォルト圧力配置状態C01、C02、C03、C04…及びC12はそれぞれ複数のデフォルト圧力範囲を有し、前記複数のデフォルト圧力範囲は互いに独立している。
【００２４】
他の実施例において、情報入力装置３０が操作モードM３において操作される場合、情報入力装置３０は下記特徴を含んでいる。複数のデフォルト圧力配置状態C01、C02、C03、C04…及びC12のいずれの状態の各自のデフォルト押圧点の数NAは、1と等しく、または1より大きい。複数のデフォルト圧力配置状態C01、C02、C03、C04…及びC12は、複数の状態グループに分割され、それに応じて複数のデフォルト位置目標D01、D02、D03、D04…及びD12は複数の目標グループに分割される。前記複数の目標グループのいずれのグループは、特定数の複数の目標メンバーから構成され、前記複数の状態グループのいずれのグループは、前記特定数の複数の状態メンバーから構成され、各自グループ押圧点の数及び各自グループ圧力範囲を有している。
【００２５】
操作モードM3において操作される場合、情報入力装置３０がさらに下記特徴を含んでいる。前記複数の状態グループのいずれのグループの前記各自グループ圧力範囲は独立しており、前記複数の状態グループは特定状態グループを有し、前記特定状態グループは、特定圧力配置状態CA1を含んでいる。前記いずれのグループの前記複数の状態メンバーのいずれの状態の各自のデフォルト押圧点の数NAは、前記いずれのグループの前記各自グループの押圧点の数と等しくなり、前記いずれのグループの前記複数の状態メンバーのいずれの状態のデフォルト圧力範囲PRは前記いずれのグループの前記各自グループ圧力範囲と等しくなる。処理ユニット３３は、前記複数の目標グループが表示ユニット３１に第二複数線形目標アレイとして並ぶようにしている。
【００２６】
操作モードM3において操作される場合、情報入力装置３０はさらに下記特徴を含む。前記複数のデフォルト圧力配置状態C01、C02、C03、C04…及びC12のいずれの状態はさらに各自のデフォルト停留時間範囲TRを有している。組合せ形態B1が前記特定状態グループに入っている場合、組合せ形態B1は、前記特定グループの状態停留時間を有し、前記状態停留時間は、操作圧力P1が前記特定状態グループのグループ圧力範囲に入る時点から計算する時間値である。組合せ形態B1が特定圧力配置状態CA1に入っている場合、前記状態停留時間は、特定圧力配置状態CA1のデフォルト停留時間範囲TRの中に入る。
【００２７】
他の実施例において、処理ユニット３３は入力情報Q1を保存する。処理ユニット３３は、入力情報Q1に基づいてダイヤル操作または情報伝送操作を行う。他の実施例において、圧力検知ユニット３２は、さらに機能触発点（図示せず）を含んでいる。入力情報Q1が生成されてから、処理ユニット３３が前記機能触発点を作動させる。圧力検知ユニット３２が、前記機能触発点及び前記機能触発点で形成する操作圧力を検知し、機能信号を生成する。処理ユニット３３は前記機能信号及び入力情報Q1に基づいてダイヤル操作または情報伝送操作を行う。
【００２８】
他の実施例において、入力情報Q1が生成されてから、処理ユニット３３は圧力検知ユニット３２に通じて、圧力検知ユニット３２のアイドル持続時間を検知し、前記アイドル持続時間は、圧力検知ユニット３２の押圧点がゼロとなる時間である。処理ユニット３３は、前記アイドル持続時間を持続時間閾値と比較することによって、入力情報Q1に基づいて前記ダイヤル操作または前記情報伝送操作を行うか否かを決める。例えば、前記アイドル持続時間は、前記持続時間閾値より小さい場合、情報入力装置３０は続いてもう一つ他の入力情報を生成する。前記アイドル持続時間が、前記持続時間閾値より大きい場合、処理ユニット３３は、入力情報Q1に基づいて前記ダイヤル操作または前記情報伝送操作を行う。
【００２９】
図３に示している他の実施例では、情報入力装置３０は、圧力検知ユニット３２及び圧力検知ユニット３２にカップリングされている処理ユニット３３を含んでいる。圧力検知ユニット３２は、少なくとも一つの押圧点A11及び少なくもと一つの押圧点A11で形成する操作圧力P1を検知し、少なくとも一つの押圧点A11の数N1及び操作圧力P1の組合せ形態B1は、特定圧力配置状態CA1の中の条件において信号S1を生成する。操作圧力P1が少なくとも一つの押圧点A11のいずれに各自圧力分量PCを有している。処理ユニット３３が圧力検知ユニット３２に通じて、少なくとも一つの押圧点A11のいずれの各自圧力分量PCをデジタル化し、それに応じて各自デジタル化圧力値RPを生成し、信号S1に基づいて代表特定圧力配置状態CA1の入力情報Q1を生成し、各自デジタル化圧力値RPは複数のビットで表示される。
【００３０】
他の実施例において、情報入力装置３０は、さらに表示ユニット３１を含んでいる。少なくとも一つの押圧点A11の数N1及び操作圧力P1の組合せは、複数のデフォルト圧力配置状態C01、C02、C03、C04…及びC12を有し、複数のデフォルト圧力配置状態C01、C02、C03、C04…及びC12のいずれは、特定圧力配置状態CA1（例えばCA1はC04と同じ）を含んでいる。表示ユニット３１は処理ユニット３３にカップリングされ、選択部L1と選択部L1と関連する複数のデフォルト位置目標D01、D02、D03、D04…及びD12を提供し、複数のデフォルト位置目標D01、D02、D03、D04…及びD12はそれぞれ前記複数のデフォルト圧力配置状態C01、C02、C03、C04…及びC12を表し、かつ特定圧力状態CA1を表す特定位置目標DA1（例えばDA1はD04と同じ）を含む。
【００３１】
処理ユニット３３は信号S1に基づいて、組合せ形態B1は特定圧力配置状態CA1に入っていることを判定した場合、表示ユニット３１を選択部L1を用いて複数のデフォルト位置目標D01、D02、D03、D04…及びD12の中から特定位置目標DA1を選択させる。複数のデフォルト圧力配置状態C01、C02、C03、C04…及びC12はそれぞれ複数のデフォルトコードK01、K02、K03、K04…及びK12を有し、複数のデフォルトコードK01、K02、K03、K04…及びK12は、それぞれ複数のデフォルト圧力配置状態C01、C02、C03、C04…及びC12を表し、特定圧力配置状態CA1の特定コードKA1（例えばデフォルトコードK04）を含んでいる。操作圧力P1が停止される過程の開始瞬間（または特定時間T11）において、組合せ形態B1は特定圧力配置状態CA1に入っており、圧力検知ユニット３２が信号S1を生成する。処理ユニット３３が圧力検知ユニット３２に通じて前記開始瞬間を検知して入力情報Q1を生成する。例えば、入力情報Q1は特定コードKA1と同じである。
【００３２】
図３で示す他の実施例において、情報入力方法は下記ステップを有する。少なくとも一つの押圧点A11及び少なくとも一つの押圧点が形成する操作圧力P1を検知し、操作圧力P1が少なくとも一つの押圧点A11のいずれに各自圧力分量PCを有するステップと、少なくとも一つの押圧点A11のいずれの各自圧力分量PCをデジタル化し、それに応じて各自デジタル化圧力値RPを生成し、各自デジタル化圧力値RPは複数のビットによって表示するステップと、少なくとも一つの押圧点A11の数N1及び操作圧力P1の組合せ形態B1は、特定圧力配置状態CA1の条件において信号S1を生成するステップと、信号S1に基づいて特定圧力配置状態CA1を表す入力情報Q1を生成するステップとを有する。
【００３３】
他の実施例において、少なくとも一つの押圧点A11の数N1及び操作圧力P1の組合せは、複数のデフォルト配置状態C01、C02、C03、C04…及びC12を有している。複数のデフォルト圧力配置状態C01、C02、C03、C04…及びC12のいずれは、各自のデフォルト押圧点の数NAと各自のデフォルト圧力範囲PRを有し、複数のデフォルト圧力配置状態C01、C02、C03、C04…及びC12は、特定圧力配置状態CA1と、特定圧力配置状態CA1と異なる特定圧力配置状態CA2を含んでいる。
【００３４】
少なくとも一つの押圧点A11の数N1は、特定時間T11と特定時間T12においてそれぞれ整数N11と整数N12と等しくなり、操作圧力P1は、特定時間T11と、特定時間T12においてそれぞれ圧力レベルP11と圧力レベルP12と等しくなり、また、特定時間T12は特定時間T11と異なる。組合せ形態B1は、整数N11と圧力レベルP11を含み、整数N11は、特定圧力配置状態CA1のデフォルト押圧点の数NAと等しくなり、圧力レベルP11は、特定圧力配置状態CA1のデフォルト圧力範囲PRに入っている。操作圧力P1が停止される過程の開始瞬間において、組合せB1は特定圧力配置状態CA1に入っており、かつ信号S1は生成される。
【００３５】
他の実施例において、前記情報入力方法は、選択部L1と選択部L1と関連する複数のデフォルト位置目標D01、D02、D03、D04…及びD12を提供し、複数のデフォルト位置目標D01、D02、D03、D04…及びD12は、特定位置目標DA1と、特定位置目標DA1と異なる特定位置目標DA2を含むステップと、信号S1に基づいて組合せ形態B1が特定圧力配置状態CA1に入っていることを判定した場合、選択部L1によって複数のデフォルト位置目標D01、D02、D03、D04…及びD12から特定位置目標DA1を選択するステップとをさらに有している。
【００３６】
前記情報入力方法は、前記少なくとも一つの押圧点A11の数N1及び操作圧力P1からなる組合せ形態B2が特定圧力配置状態CA2に入っている場合、信号S2が生成され、組合せ形態B2は、整数N12と圧力レベルP12を含み、整数N12は、特定圧力配置状態CA2のデフォルト押圧点の数NAと等しくなり、圧力レベルP12は、特定圧力配置状態B2のデフォルト圧力範囲PAに入っているステップと、信号S2に基づいて組合せ形態B2が特定圧力配置状態CA2に入っていることを判定した場合、選択部L1によって複数のデフォルト位置目標D01、D02、D03、D04…及びD12から特定位置目標DA2を選択し、特定位置目標DA2は、特定圧力配置状態CA2を表すステップとをさらに有している。
【００３７】
図４は、本案の他の実施例の情報入力装置８１を示す模式図である。図３も合わせて参照する。情報入力装置８１は、タッチスクリーン４１と、タッチスクリーン４１にカップリングされている処理ユニット３３とを有している。情報入力装置８１の構造と操作方法は、情報入力装置３０の構造と操作方法と類似している。続いて情報入力装置８１の特徴を説明する。タッチパネル４１は、表示ユニット３１と、表示ユニット３１にカップリングされる圧力検知ユニット３２を含んでおり、情報入力装置８１は、操作モードM1において操作される。
【００３８】
表示ユニット３１の右側に特定表示領域G1を有している。特定表示領域G1は、複数のデフォルト位置目標D01、D02、D03、D04、D05、D06、D07、D08、D09、D10、D11、D12及びそれぞれ複数のデフォルト位置目標D01、D02、D03、D04、D05、D06、D07、D08、D09、D10、D11、D12に対応する複数のデフォルト符号位置E01、E02、E03、E04、E05、E06、E07、E08、E09、E10、E11、E12とを含んでいる。例えば、複数のデフォルト符号位置E01、E02、E03、E04、E05、E06、E07、E08、E09、E10、E11、E12はそれぞれ複数のデフォルト位置目標D01、D02、D03、D04、D05、D06、D07、D08、D09、D10、D11、D12と隣接するまたは重なる。
【００３９】
処理ユニット３３は、表示ユニット３１が特定表示領域G1に圧力メーターGA1を表示し、圧力メーターGA1は、複数のデフォルト位置目標D01、D02、D03、D04、D05、D06、D07、D08、D09、D10、D11、D12に配置される複数の格子H01、H02、H03、H04、H05、H06、H07、H08、H09、H10、H11、H12と、複数のデフォルト符号位置E01、E02、E03、E04、E05、E06、E07、E08、E09、E10、E11、E12に配置される複数のデフォルト符号F01、F02、F03、F04、F05、F06、F07、F08、F09、F10、F11、F12とを含んでいる。例えば、処理ユニット３３は、複数のデフォルト位置目標D01、D02、D03、D04、D05、D06、D07、D08、D09、D10、D11、D12が表示ユニット３１において第一線形目標アレイとして並ぶようにし、かつ複数のデフォルト符号F01、F02、F03、F04、F05、F06、F07、F08、F09、F10、F11、F12は、それぞれ「１」、「２」、「３」、「４」、「５」、「６」、「７」、「８」、「９」、「０」、「＃」及び「＊」となる。
【００４０】
ユーザーが、タッチスクリーン４１の任意の押圧点A11を押し込み、かつ操作圧力P1を施すと、圧力検知ユニット３２は、少なくとも一つの押圧点A11と、少なくとも一つの押圧点A11が形成する操作圧力P1を検知し、少なくとも一つの押圧点A11の数N1は１となる。情報入力装置８１は、操作圧力P1の圧力レベルに基づいて選択部L1を複数のデフォルト位置目標D01、D02、D03、D04、D05、D06、D07、D08、D09、D10、D11、D12の圧力レベルに対応する特定位置目標（例えばD02）に移動させる。例えば、押圧点A11は圧力検知ユニット３２の独立押圧領域を表す。
【００４１】
圧力検知ユニット３２は、圧力検知パネル３２０である。圧力検知パネル３２０は、圧力検知領域３２１Aを有する圧力検知アレイ３２１を含んでおり、少なくとも一つの押圧点A11のいずれは、圧力検知領域３２１Aに独立して配置される。表示ユニット３１は、表示パネル３１０であり、表示パネル３１０は圧力検知パネル３２０と互いにマッチし、タッチスクリーン４１を構成する。
【００４２】
ユーザーが操作圧力P1を施すことを停止して指をスクリーンから離す時、情報入力装置８１が操作圧力P1における停止圧力レベルに対応するデフォルト位置目標が、操作圧力P1の前記停止圧力レベルに対応する入力情報Q1を生成する。例えば、前記停止圧力レベルは操作圧力P1が操作圧力P1が停止される過程の開始瞬間の圧力と等しくなる。前記ユーザーは、同じ方法によって選択的に上記押圧操作を重複することによって付加入力情報Q2を生成する。前記ユーザーが入力を完了しようとする時に、前記ユーザーは、特定操作を行い、情報入力装置８１が入力情報Q1と選択的付加入力情報Q2によってダイヤル操作または情報伝送操作を行う。例えば、前記特定操作は、アイドル持続時間を有するアイドル操作、圧力検知領域３２１Aの触発点を接触する触発操作、またはタッチスクリーン４１を一回以上軽くタッチすることのいずれであり、前記アイドル持続時間は、持続時間閾値より大きい。
【００４３】
他の実施例において、少なくとも一つの押圧点A11の数N1及び操作圧力P1の組合せBAは、複数のデフォルト圧力配置状態C01、C02、C03、C04、C05、C06、C07、C08、C09、C10、C11、C12を有している。複数のデフォルト圧力配置状態C01、C02、C03、C04、C05、C06、C07、C08、C09、C10、C11、C12はそれぞれ複数のデフォルト位置目標D01、D02、D03、D04、D05、D06、D07、D08、D09、D10、D11、D12に対応している。少なくとも一つの押圧点A11の数N1及び操作圧力P1の組合せBAが特定時間T11においてグループ形態B1と等しくなり、特定時間T12において組合せ形態B2と等しくなり、特定時間T12は特定時間T11よりも早くなる。例えば、複数のデフォルト圧力配置状態C01、C02、C03、C04、C05、C06、C07、C08、C09、C10、C11及びC12はそれぞれデフォルト圧力範囲（PR、１２個）は圧力レベルの昇順に基づいて階層的に並ぶ。
【００４４】
組合せ形態B1と組合せ形態B2はそれぞれ特定圧力配置状態CA1（例えばCA1はC04と等しい）及び特定圧力配置状態CA2（例えばCA2はC02と等しい）に入っている。組合せBAは組合せB1と等しくなる時に、処理ユニット３３は、選択部L1を複数のデフォルト位置目標D01、D02、D03、D04、D05、D06、D07、D08、D09、D10、D11、D12の特定位置目標DA1（例えばD04）に移動させる。組合せ形態BAが組合せ形態B2と等しなる時に、処理ユニット３３は、選択部L1を複数のデフォルト位置目標D01、D02、D03、D04、D05、D06、D07、D08、D09、D10、D11、D12の特定位置目標DA2（例えばDA2はD02と等しい）。例えば、操作圧力P1が停止、またはリリースされる過程の開始瞬間（または特定時間T11）に、組合せ形態B1は特定圧力配置状態CA1に入っている。例えば、選択部L1は順次に複数のデフォルト位置目標D01、D02、D03を経過してから位置目標D04に移動する。
【００４５】
他の実施例において、情報入力装置８１は通信装置である。圧力検知ユニット３２は透明で、表示ユニット３１に配置され、操作圧力P1を受けている。一部の実施例において、入力情報Q1は数字入力情報であって、操作圧力P1が停止され、押圧点A11をリリースする時に、情報入力装置８１が停止圧力レベルに対応する入力情報Q1を生成する。その後に、ユーザーが軽くスクリーンを少なくとも一回タッチしてダイヤル操作を実行する。
【００４６】
図５は、本発明の他の実施例の情報入力装置８２を示す模式図である。図３も合わせて参照する。情報入力装置８２は、タッチスクリーン４１とタッチスクリーン４１にカップリングされている処理ユニット３３を含んでいる。情報入力装置８２の構造と操作方法は情報入力装置３０の構造と操作方法と類似する。続いて、情報入力装置８２の特徴を説明する。タッチスクリーン４１は、表示ユニット３１と、表示ユニット３１にカップリングされる圧力検知ユニット３２とを有し、情報入力装置８２は、操作モードM2において操作される。表示ユニット３１は、特定表示領域G2を有し、特定表示領域G2は、複数のデフォルト位置目標D01、D02、D03、D04、D05、D06、D07、D08、D09、D10、D11、D12と、それぞれ複数のデフォルト位置目標D01、D02、D03、D04、D05、D06、D07、D08、D09、D10、D11、D12に対応する複数のデフォルト符号位置E01、E02、E03、E04、E05、E06、E07、E08、E09、E10、E11、E12を含んでいる。
【００４７】
処理ユニット３３は、表示ユニット３１が特定表示領域G2に圧力メーターGA2を表示するようにし、圧力メーターGA2はそれぞれ複数のデフォルト位置目標D01、D02、D03、D04、D05、D06、D07、D08、D09、D10、D11、D12の複数の格子H01、H02、H03、H04、H05、H06、H07、H08、H09、H10、H11、H12と、それぞれ複数のデフォルト符号位置E01、E02、E03、E04、E05、E06、E07、E08、E09、E10、E11、E12に配置される複数のデフォルト符号F01、F02、F03、F04、F05、F06、F07、F08、F09、F10、F11、F12を含んでいる。
【００４８】
例えば、処理ユニット３３は、複数のデフォルト位置目標D01、D02、D03、D04、D05、D06、D07、D08、D09、D10、D11、D12が表示ユニット３１に第一複数の線形目標アレイとして並ぶようにし、複数のデフォルト符号F01、F02、F03、F04、F05、F06、F07、F08、F09、F10、F11、F12は、それぞれ「１」、「２」、「３」、「４」、「５」、「６」、「７」、「８」、「９」、「０」、「＃」及び「＊」となる。例えば、前記第一複数線形目標アレイは、第一線形目標アレイと、第二線形目標アレイと、第三線形目標アレイとを含んでいる。前記第一線形目標アレイは、複数のデフォルト位置目標D01、D04、D07及びD12を含んでいる。第二線形目標アレイは、複数のデフォルト位置目標D02、D05、D08及びD10を含んでいる。第三線形目標アレイは、複数のデフォルト位置目標D03、D06、D09及びD11を含んでいる。
【００４９】
圧力検知ユニット３２は、少なくとも一つの押圧点A11と、少なくとも一つの押圧点A11が形成する操作圧力P1を検知する。少なくとも一つの押圧点A11の数N1及び操作圧力P1が組合せBAを形成し、少なくとも一つの押圧点A11の数N1は1と等しく、または１より大きくなる。組合形態BAは、特定時間T11において組合せ形態B1と等しくなる。一部の実施例において、組合せBAはさらに特定時間T12において組合せ形態B2と等しくなり、特定時間T12は特定時間T11よりも早くなる。
【００５０】
組合せ形態B1は、特定圧力配置状態CA1に入っている条件において、圧力検知ユニット３２が信号S1を生成し、特定圧力配置状態CA1は、複数のデフォルト配置状態C01、C02、C03、C04、C05、C06、C07、C08、C09、C10、C11及びC12のいずれとなる。表示ユニット３１の複数のデフォルト位置目標D01、D02、D03、D04、D05、D06、D07、D08、D09、D10、D11、D12はそれぞれ複数のデフォルト圧力配置状態C01、C02、C03、C04、C05、C06、C07、C08、C09、C10、C11及びC12を表し、複数のデフォルト位置目標D01、D02、D03、D04、D05、D06、D07、D08、D09、D10、D11、D12の中の特定位置目標DA1（例えばDA01はD10と等しい）は、特定圧力配置状態CA1を表している（例えばCA1はC10と等しい）。
【００５１】
複数のデフォルト符号F01、F02、F03、F04、F05、F06、F07、F08、F09、F10、F11及びF12はそれぞれ複数のデフォルト圧力配置状態C01、C02、C03、C04、C05、C06、C07、C08、C09、C10、C11及びC12を表している。複数のデフォルト位置目標D01、D02、D03、D04、D05、D06、D07、D08、D09、D10、D11、D12または複数のデフォルト符号F01、F02、F03、F04、F05、F06、F07、F08、F09、F10、F11、F12はそれぞれ複数のデフォルトコードK01、K02、K03、K04、K05、K06、K07、K08、K09、K10、K11、K12を有している。複数のデフォルトコードK01、K02、K03、K04、K05、K06、K07、K08、K09、K10、K11、K12は、それぞれ複数のデフォルト圧力配置状態C01、C02、C03、C04、C05、C06、C07、C08、C09、C10、C11及びC12を表し、複数のデフォルトコードK01、K02、K03、K04、K05、K06、K07、K08、K09、K10、K11、K12の特定コードKA1（例えばKA1はK10と等しい）が特定圧力配置状態CA1を表している（例えばCA1はC10と等しい）。
【００５２】
処理ユニット３３は信号S1に基づいて、表示ユニット３１が選択部L1によって複数のデフォルト位置目標D01、D02、D03…及びD12から特定位置目標DA1を選択し、特定圧力配置状態CA1を表す入力情報Q1を生成するようにする。例えば、入力情報Q1は特定コードKA1と同じである。複数のデフォルト圧力配置状態C01、C02、C03、C04…及びC12のいずれの各自のデフォルト圧力範囲PRは独立している。処理ユニット３３は信号S1に基づいて、選択部L1を特定位置目標DA1に移動させる。例えば、操作圧力P1が停止される過程の開始瞬間（または特定時間T11）において、組合せ形態B1は、特定圧力配置状態CA1に入っている。
【００５３】
他の実施例において、組合せ形態B2は、特定圧力配置状態CA2に入っている場合、圧力検知ユニット３２が信号S2を生成する。特定圧力配置状態CA2は、複数のデフォルト圧力配置状態C01、C02、C03、C04、C05、C06、C07、C08、C09、C10、C11及びC12のいずれであって、特定圧力配置状態CA1と異なる。複数のデフォルト位置目標D01、D02、D03、D04、D05、D06、D07、D08、D09、D10、D11、D12の中の特定位置目標DA2（例えばDA2はD05と等しい）が特定圧力配置状態CA2を表す（例えばCA2はC05と等しい）。処理ユニット３３は信号S2に基づいて、表示ユニット３１が選択部L1によって複数のデフォルト位置目標D01、D02、D03、D04…及びD12から特定位置目標DA2を選択するようにする。例えば処理ユニット３３は信号S2に基づいて、選択部L1を特定位置目標DA2に移動させる。
【００５４】
他の実施例において、ユーザーが指一本で圧力検知ユニット３２の押圧点A11を押し圧し、指二本でそれぞれ圧力検知ユニット３２の押圧点A11と押圧点A12を押し圧し、または指三本でそれぞれ圧力検知ユニット３２の押圧点A11と、押圧点A12と、押圧点A13を押し圧す。処理ユニット３３は、信号S1に基づいて、組合せ形態B1が特定圧力配置状態CA1に入っているか否かを判定する。複数のデフォルト圧力配置状態C01、C02、C03、C04、C05、C06、C07、C08、C09、C10、C11及びC12のいずれは、デフォルト押圧点の数NAとデフォルト圧力範囲PRを有している。例えば処理ユニット３３は信号S1に基づいて、少なくとも一つの押圧点A11の数N1は整数N11と等しくなることを判定し、操作圧力P1は圧力レベルP11と等しくなることを判定する。例えば、圧力レベルP11は停止圧力レベルとなっており、整数N11は２となり、二本の指は同時に力を入れていることを表している。
【００５５】
他の実施例において、少なくとも一つの押圧点A11の数N1は、１より大きい場合、操作圧力P1は複数の子圧力を含んでおり、前記複数の子圧力の集合圧力となっている。例えば、少なくとも一つの押圧点A11の数N1は３となり、少なくとも一つの押圧点A11は、三つの押圧点A11、A12、A13を含んでおり、操作圧力P1は、それぞれ三つの押圧点A11、A12、A13の三つの子圧力P1A、P1B及びP1Cを含む。前記集合圧力は三つの子圧力P1A、P1B及びP1Cの集合である。
【００５６】
他の実施例において、複数のデフォルト圧力配置状態C01、C02、C03、C04、C05、C06、C07、C08、C09、C10、C11及びC12は、デフォルト押圧点の数標準に基づいて複数の状態集合を形成する。例えば前記複数の状態集合は、第一状態集合と、第二状態集合と、第三状態集合とを含んでいる。前記第一状態集合は、情報入力装置８２の指一本押圧処理に用いられ、複数のデフォルト位置目標D01、D04、D07及びD12の複数のデフォルト圧力配置状態C01、C04、C07及びC12をそれぞれ含んでいる。複数のデフォルト圧力配置状態C01、C04、C07及びC12のいずれの各自のデフォルト押圧点の数NAは１となる。複数のデフォルト圧力配置状態C01、C04、C07及びC12それぞれ有する四つのデフォルト圧力範囲（四つのPR）は圧力レベル漸増基準に基づいて配列される。
【００５７】
前記第二状態集合は、情報入力装置８２の指二本の同時押圧処理に用いられ、それぞれ複数のデフォルト位置目標D02、D05、D08及びD10に対応している複数のデフォルト圧力配置状態C02、C05、C08及びC10を含んでいる。複数のデフォルト圧力配置状態C02、C05、C08及びC10のいずれは各自のデフォルト押圧点の数NAは２となる。複数のデフォルト圧力配置状態C02、C05、C08及びC10がそれぞれ有しているデフォルト圧力範囲（四つのPR）は、圧力レベル漸増基準に基づいて配列される。前記第三状態集合は、情報入力装置８２の指三本同時押圧処理に用いられ、それぞれ複数のデフォルト位置目標D03、D06、D09及びD11の複数のデフォルト圧力配置状態C03、C06、C09及びC11を含んでいる。複数のデフォルト圧力配置状態C03、C06、C09及びC11のいずれの各自のデフォルト点の数NAは３となる。複数のデフォルト圧力配置状態C03、C06、C09及びC11のそれぞれ有する四つのデフォルト圧力範囲（四つのPR）は圧力レベル漸増基準に基づいて配列される。
【００５８】
例えば、指一本押圧処理によって、情報入力装置８２はそれぞれ複数のデフォルト符号F01、F04、F07及びF12（例えば複数のデフォルト符号「１」、「４」「７」、「＊」）を表す複数のデフォルトコードK01、K04、K07及びK12のいずれを生成することができる。指二本の同時押圧処理によって、情報入力装置８２はそれぞれ複数のデフォルト符号F02、F05、F08及びF10を表している（例えば複数のデフォルト符号「２」、「５」、「８」、「０」）複数のデフォルトK02、K05、K08及びK10のいずれを生成することができる。指三本同時押圧処理によって、情報入力装置８２は複数のデフォルト符号F03、F06、F09及びF11を表す（例えば複数のデフォルト符号「３」、「６」、「９」、「＃」）の複数のデフォルトコードK03、K06、K09及びK11のいずれを生成することができる。
【００５９】
他の実施例において、処理ユニット３３は信号S1に基づいて、少なくとも一つの押圧点A11の数N1は整数N11となると判定した場合、組合せ形態B1は前記複数状態集合の中の特定状態集合に入っていると判定し、前記特定状態集合は整数N11に対応しており、特定圧力配置状態CA1を含んでいる。処理ユニット３３は信号S1に基づいて、圧力レベルP11は特定圧力配置状態CA1のデフォルトレベル範囲PRに入っていると判定し、これによって組合せ形態B1は特定圧力配置状態CA1に入っていると判定する。処理ユニット３３は、圧力検知ユニット３２に通じて開始瞬間を検知して操作圧力が停止されることを判定し、組合せ形態B1が特定圧力配置状態CA1に入っているとの判定に基づいて入力情報Q1を生成する。入力情報Q1は特定コードKA1と等しくなる。
【００６０】
他の実施例において、ユーザーは、タッチスクリーン４１の任意箇所を押し圧す。タッチスクリーン４１は、ユーザー押圧を検知して第一検知信号を生成しする。ユーザーの押圧は少なくとも一つの押圧点A11に施され、かつ少なくとも一つの押圧点A11が形成する操作圧力P1を有している。処理ユニット３３は、第一検知信号に基づいて、ユーザーの押圧は、指一本、指二本または指三本の同時押圧を検知する。前記ユーザー押圧は、圧力レベルを有する。前記ユーザー押圧は、前記指二本の同時押圧の時に、処理ユニット３３は前記第一検知信号（または信号S1）に基づいて、前記圧力レベルはデフォルト符号F02に対応する第一圧力レベル、デフォルト符号F05に対応する第二圧力レベル、デフォルト符号F08に対応する第三圧力レベル及びデフォルト符号F10に対応する第四圧力レベルのどれかを判定し、それによって入力情報Q1を生成する。入力情報Q1は複数のデフォルトコードK02、K05、K08及びK10のいずれはと同じである。
【００６１】
他の実施例において、前記ユーザー押圧は、指一本で押し圧す時に、入力情報Q1は複数のデフォルトコードK01、K04、K07及びK12のいずれと同じとなることである。前記ユーザー押圧は、前記指二本の同時押圧の時に、入力情報Q1は複数のデフォルトコードK02、K05、K08及びK10のいずれと同じとなることである。指三本同時押し圧す場合、入力情報Q1は複数のデフォルトコードK03、K06、K09及びK11のいずれとなることである。例えば、情報入力装置８２は通信装置であり、入力情報Q1は数値入力情報である。操作圧力P1が停止されて少なくとも一つの押圧点A11をリリースした場合、情報入力装置８２が前記停止圧力レベルに対応している入力情報Q1を生成する。その後に、ユーザーが特定操作によってダイヤル操作を実行する。例えば前記特定操作はタッチスクリーン４１を一回以上軽くタッチする操作である。
【００６２】
図６は、本発明の変形例の情報入力装置８３を示す模式図である。合わせて図３も参照する。情報入力装置８３は、タッチスクリーン４１及びタッチスクリーン４１にカップリングされる処理ユニット３３を含んでいる。情報入力装置８３の構造と操作方法は、情報入力装置３０の構造と操作方法と類似する。続いて情報入力装置８３の特徴を説明する。タッチスクリーン４１は、表示ユニット３１と表示ユニット３１にカップリングされている圧力検知ユニット３２を含んでおり、情報入力装置８３は操作モードM3において操作される。情報入力装置８３の構造と操作方法は、それぞれ情報入力装置８２の構造と操作方法と類似する。続いて情報入力装置８３の特徴を説明する。
【００６３】
表示ユニット３１は、特定表示領域G3を有しており、特定表示領域G3は、複数のデフォルト位置目標D01、D02、D03、D04、D05、D06、D07、D08、D09、D10、D11、D12、D21…D32、D41…及びD52と、それぞれ複数のデフォルト位置目標D01、D02、D03、D04、D05、D06、D07、D08、D09、D10、D11、D12、D21…D32、D41…及びD52に対応している複数のデフォルト符号位置E01、E02、E03、E04、E05、E06、E07、E08、E09、E10、E11、E12、E21…E32、E41…及びE52を含んでいる。例えば、複数のデフォルト符号位置E01、E02、E03、E04、E05、E06、E07、E08、E09、E10、E11、E12、E21…E32、E41…及びE52のそれぞれは、複数のデフォルト位置目標D01、D02、D03、D04、D05、D06、D07、D08、D09、D10、D11、D12、D21…D32、D41…及びD52に隣接しているまたは重なっている。
【００６４】
複数のデフォルト位置目標D01、D02、D03、D04、D05、D06、D07、D08、D09、D10、D11、D12、D21…D32、D41…及びD52は、複数の目標グループD81、D82、D83、D84、D85、D86、D87、D88、D89、D90、D91及びD92に分割される。複数の目標グループD81、D82、D83、D84、D85、D86、D87、D88、D89、D90、D91及びD92はそれぞれ複数のグループ位置E81、E82、E83、E84、E85、E86、E87、E88、E89、E90、E91及びE92を有している。
【００６５】
処理ユニット３３は、表示ユニット３１が特定表示領域G3に圧力メーターGA3を表示するようにし、圧力メーターGA3は  それぞれ複数のグループ位置E81、E82、E83、E84、E85、E86、E87、E88、E89、E90、E91及びE92に配置される複数の格子H81、H82、H83、H84、H85、H86、H87、H88、H89、H90、H91及びH92と、複数のデフォルト符号位置E01、E02、E03、E04、E05、E06、E07、E08、E09、E10、E11、E12、E21…E32、E41…及びE52にそれぞれ配置される複数のデフォルト符号F01、F02、F03、F04、F05、F06、F07、F08、F09、F10、F11、F12、F21…F32、F41…及びF52を含んでいる。
【００６６】
例えば、処理ユニット３３は、複数の目標グループD81、D82、D83、D84、D85、D86、D87、D88、D89、D90、D91及びD92が表示ユニット３１に第二複数の線形目標アレイとして並ぶようにする。前記第二複数の線形目標アレイは、第四線形目標アレイと、第五線形目標アレイと、第六線形目標アレイを含んでいる。前記第四線形目標アレイは、複数の目標グループD81、D82、D83及びD84を含んでいる。前記第五線形目標アレイは、複数の目標グループD85、D86、D87及びD88を含んでいる。前記第六線形目標アレイは、複数の目標グループD89、D90、D91及びD92を含んでいる。
【００６７】
他の実施例において、圧力検知ユニット３２は少なくとも一つの押圧点A11及び前記少なくとも一つの押圧点A11で形成する圧力P1を検知する。少なくとも一つの押圧点A11の数N1及び操作圧力P1の組合せBAは、複数のデフォルト圧力配置状態C01、C02、C03、C04、C05、C06、C07、C08、C09、C11、C12、C21…C32、C41…及びC52を有している。複数のデフォルト圧力配置状態C01、C02、C03、C04、C05、C06、C07、C08、C09、C11、C12、C21…C32、C41…及びC52は、それぞれデフォルト位置目標D01、D02、D03、D04、D05、D06、D07、D08、D09、D11、D12、D21…D32、D41…及びD52に対応し、特定圧力配置状態CA1と、特定圧力配置状態CA1と異なる特定圧力配置状態CA2とを含んでいる。少なくとも一つの押圧点A11の数N1及び操作圧力P1の組合せBAは、特定時間T11において組合せ形態B1と等しくなり、特定時間T12において組合せ形態B2と等しくなり、特定時間T12は特定時間T11よりも早い。
【００６８】
組合せ形態B1が特定圧力配置状態CA1に入っている場合、圧力検知ユニット３２は信号S1を生成する。処理ユニット３３は信号S1に基づいて特定圧力配置状態CA1を表す入力情報Q1を生成する。複数のデフォルト圧力配置状態C01、C02、C03、C04、C05、C06、C07、C08、C09、C11、C12、C21…C32、C41…及びC52のいずれは、各自のデフォルト押圧点の数NAと各自のデフォルト圧力範囲PRを有している。複数のデフォルト圧力配置状態C01、C02、C03、C04、C05、C06、C07、C08、C09、C11、C12、C21…C32、C41…及びC52のいずれの各自のデフォルト押圧点の数NAは１と等しく、または１より大きい。例えば、処理ユニット３３は信号S1に基づいて、少なくとも一つの押圧点A11の数NAは整数N11となると判定し、操作圧力P1は、圧力レベルP11と等しくなると判定する。例えば、圧力レベルP11は停止圧力レベルであって、整数N11は１となる場合は、指一本の押し圧しを表している。
【００６９】
複数のデフォルト圧力配置状態C01、C02、C03、C04、C05、C06、C07、C08、C09、C11、C12、C21…C32、C41…及びC52は、複数の状態グループC81、C82、C83、C84、C85、C86、C87、C88、C89、C90、C91及びC92に分割され、それに応じて複数のデフォルト位置目標D01、D02、D03、D04、D05、D06、D07、D08、D09、D11、D12、D21…D32、D41…及びD52は、複数の目標グループD81、D82、D83、D84、D85、D86、D87、D88、D89、D90、D91及びD92に分割される。
【００７０】
複数の目標グループD81、D82、D83、D84、D85、D86、D87、D88、D89、D90、D91及びD92のいずれは、特定数の複数の目標メンバーから構成される。複数の状態グループC81、C82、C83、C84、C85、C86、C87、C88、C89、C90、C91及びC92のいずれは、特定数の複数の目標メンバーから構成され、各自グループの押圧点数NG及び各自グループの圧力範囲PGを有する。複数の状態グループC81、C82、C83、C84、C85、C86、C87、C88、C89、C90、C91及びC92ののいずれは、各自グループの圧力範囲PGが独立しており、複数の状態グループC81、C82、C83、C84、C85、C86、C87、C88、C89、C90、C91及びC92は、特定状態グループCG1を含み、特定状態グループCG1は特定圧力配置状態CA1を含んでいる。
【００７１】
複数のデフォルト圧力配置状態C01、C02、C03、C04、C05、C06、C07、C08、C09、C11、C12、C21…C32、C41…及びC52は、それぞれ複数のデフォルトコードK01、K02、K03、K04、K05、K06、K07、K08、K09、K11、K12、K21…K32、K41…及びK52を有している。特定圧力配置状態CA1は、複数のデフォルトコードK01、K02、K03、K04、K05、K06、K07、K08、K09、K11、K12、K21…K32、K41…及びK52の中の一つの特定コードKA1を有している。
【００７２】
前記いずれのグループの前記複数の状態メンバーのいずれの状態の各自のデフォルト押圧点の数NAは、前記いずれのグループの前記各自グループの押圧点数と等しくなり、前記いずれのグループの前記複数の状態メンバーのいずれの状態の各自のデフォルト圧力範囲PRは、前記いずれのグループの前記各自グループの圧力範囲と等しくなる。処理ユニット３３は、前記複数の目標グループが表示ユニット３１に第二複数線形目標アレイとして並ぶようにする。
【００７３】
前記いずれのグループの前記複数の状態メンバーのいずれの状態の各自のデフォルト押圧点の数NAは、前記いずれのグループの各自グループの押圧点数NGと等しくなり、いずれのグループの前記複数の状態メンバーのいずれの状態の各自のデフォルト圧力範囲PRは、前記いずれのグループの各自グループの圧力範囲PGと等しくなる。処理ユニット３３は、複数の目標グループD81、D82、D83、D84、D85、D86、D87、D88、D89、D90、D91及びD92が表示ユニット３１に第二複数線形目標アレイとして並ぶようにする。複数のデフォルト圧力配置状態C01、C02、C03、C04、C05、C06、C07、C08、C09、C11、C12、C21…C32、C41…及びC52の前記いずれの状態はさらに各自のデフォルト停留時間範囲TRを有している。組合せ形態B1が特定状態グループCG1に入っている時に、組合せ形態B1は、特定状態グループCG1に用いられる状態停留時間TA1を有しており、状態停留時間TA1は、操作圧力P1が特定状態グループCG1に入るグループ圧力範囲PGから計算する時間である。組合せ形態B1は、特定圧力配置状態CA1に入っている時に、状態停留時間TA1は、特定圧力配置状態CA1のデフォルト停留時間範囲TRに入っている。
【００７４】
他の実施例において、複数の状態グループC81、C82、C83、C84、C85、C86、C87、C88、C89、C90、C91及びC92はデフォルト押圧点の数基準に基づいて複数の状態集合を形成している。例えば、前記複数の状態集合は、第四状態集合と、第五状態集合と、第六状態集合とを含んでいる。前記第四状態集合は、情報入力装置８３の指一本の押圧処理に用いられ、それぞれ複数標グループD81、D82、D83、D84に対応する複数の状態グループC81、C82、C83及びC84を含んでいる。複数の状態グループC81、C82、C83及びC84のいずれのグループの各自グループの押圧点の数NGは１と等しい。
【００７５】
前記第五状態集合は、情報入力装置８３の指二本の同時押圧処理に用いられ、複数の目標グループD85、D86、D87及びD88に対応する複数の状態グループC85、C86、C87及びC88のいずれのグループの各自グループの押圧点の数NGは２となる。前記第六状態集合は、情報入力装置８３の指三本の同時押圧処理に用いられ、それぞれ複数の目標グループD89、D90、D91及びD92に対応する複数の状態グループC89、C90、C91及びC92を含んでいる。複数の状態グループC89、C90、C91及びC92のいずれのグループの各自グループ押圧点の数NGは３と等しい。
【００７６】
他の実施例において、処理ユニット３３は信号S1に基づいて、前記少なくとも一つの押圧点A11の数N1は整数N11となると判定した場合、組合せ形態B1は前記複数状態集合の中の特定状態集合に入っていると判定し、前記特定状態集合は、整数N11に対応し、特定状態グループCG1を含み、特定状態グループCG1は、特定圧力配置状態CA1を含む。処理ユニット３３は信号S1に基づいて、圧力レベルP11は特定状態グループCG1のグループ圧力範囲PGに入っていると判定する。
【００７７】
圧力レベルP11が、特定状態グループCG1のグループ圧力範囲PGに入っている場合、処理ユニット３３は、信号S1に基づいて状態停留時間TA1を決め、状態停留時間TA1及び特定状態グループCG1中に含まれる複数のデフォルト停留時間範囲（三つのTR）に基づいて、組合せ形態B1が特定圧力配置状態CA1に入っていることを判定する。例えば、特定状態グループCG1の前記複数のデフォルト停留時間範囲（三つのTR）は互いに独立している。例えば、いずれのデフォルト停留時間範囲TRは、少なくとも一つの子時間範囲を有し、操作圧力P1が停止される過程の開始瞬間（または特定時間T11）において、組合せ形態B1は特定圧力配置状態CA1に入っている。処理ユニット３３が圧力検知ユニット３２に通じて前記開始瞬間を検知して操作圧力P1が停止されることを判定し、かつ組合せ形態B1は特定圧力配置状態CA1中の判定によって入力情報Q1を生成する。入力情報Q1は特定コードKA1と同じである。
【００７８】
他の実施例において、ユーザーがタッチスクリーン４１の中の任意箇所を押し圧す。タッチスクリーン４１は、ユーザーの押圧を検知して第二検知信号を生成し、前記ユーザーの押圧は、前記少なくとも一つの押圧点A11に施され、前記少なくとも一つの押圧点A11によって形成した操作圧力P1を有する。処理ユニット３３は、第二検知信号に基づいて、前記ユーザーの押圧は、指一本の押圧、指二本の同時押圧及び指三本の同時押圧のどれかを判定する。前記ユーザーの押圧は圧力レベルを有する。前記ユーザーの押圧は指一本の押圧の場合、処理ユニット３３は前記第二検知信号に基づいて前記圧力レベルが状態グループC81に対応する第五圧力レベル、状態グループC82に対応する第六圧力レベル、状態グループC83に対応する第七圧力レベル、または状態グループC84に対応する第八圧力レベルと判定する。
【００７９】
前記圧力レベルは、状態グループC81のグループ圧力範囲PGに入っている場合、処理ユニット３３は、特定状態グループCG1が状態グループC81であると判定し、前記第二検知信号（または信号S1）に基づいて状態停留時間TA1を決め、状態停留時間TA1及び状態グループC81に含まれる複数のデフォルト停留時間範囲（三つのTR）に基づいてグループ形態B1が特定圧力配置状態CA1（例えばCA1はC03と等しくなる）に入っていると判定し、これによって入力情報Q1を生成する。入力情報Q1は、複数のデフォルトコードK01、K02及びK03のいずれ（例えばQ1はK03と同じ）と同じである。
【００８０】
他の実施例において、処理ユニット３３は、状態停留時間TA1の長さに基づいて、それに対応する文字記号、アルファベット、または数字を選択する。デフォルト圧力配置状態C01のデフォルト停留時間範囲TRは、０〜３秒の範囲及び９〜１２秒の範囲にあり、対応記号は「ア」である。デフォルト圧力配置状態C02のデフォルト停留時間範囲TRは、３〜６秒の範囲及び１２〜１５秒の範囲にあり、対応記号は「イ」である。デフォルト圧力配置状態C03のデフォルト停留時間範囲は、６〜９秒の範囲と、１５〜１８秒の範囲にあり、対応記号は「ウ」である。圧力メーターGA3は伝統的携帯キーボードの配置を使ってもよい。組合せ形態B1は状態グループC81（指一本の押圧）の条件において、処理ユニット３３は、状態停留時間TA1に基づいて三つの記号「ア」、「イ」及び「ウ」の中から一つの記号を選択し、または三つのデフォルトコードK01、K02及びK03から一つのコードを選択する。
【００８１】
例えば、情報入力装置８３は通信である。入力情報Q1は数字入力情報（特定コードKA1と等しい）である。操作圧力P1が停止されて少なくとも一つの押圧点A11をリリースした場合、情報入力装置８３が停止圧力レベルに対応する情報Q1を生成し、続いて前記ユーザーが特定操作を行ってダイヤルを実行する。例えば、前記特定操作は、タッチスクリーン４１を一回以上軽くタッチする操作である。
【００８２】
本案の様々な実施例における情報入力装置は、タッチスクリーン４１が小さくて正確にダイヤル操作ができない問題を解決した同時に、すっきりした画面も綺麗に見える。
【００８３】
図７は、本案の変形例における情報入力装置８４を示す模式図である。図３も合わせて参照する。情報入力装置８４は、表示ユニット３１と、圧力検知ユニット３２と、処理ユニット３３と、装置本体３６とを含んでいる。表示ユニット３１と圧力検知ユニット３２は、処理ユニット３３と装置本体３６にカップリングされている。処理ユニット３３は装置本体３６にカップリングされ、または装置本体３６の中に配置される。情報入力装置８４の構造と操作方法は、情報入力装置３０、８１、８２及び８３の構造と操作方法と類似している。続いて情報入力装置８４の特徴を説明する。
【００８４】
他の実施例において、装置本体３６は、フロント部３６１及びフロント部３６１にカップリングされるサイド部３６２を含んでいる。表示ユニット３１は、発光ダイオード（LED）表示スクリーン３１５を含んでいてもよく、表示ユニット３１が発光ダイオード表示スクリーン３１５であってもよい。発光ダイオード表示スクリーン３１５は、フロント部３６１に設置され、処理ユニット３３にカップリングされる。例えば、発光ダイオードは、発光ダイオード表示スクリーン３１５は、選択部L1と、それぞれ複数のデフォルト圧力配置状態C01、C02、C03、C04…及びC12を表す複数のデフォルト位置目標D01、D02、D03、D04…及びD12とを提供する。
【００８５】
圧力検知ユニット３２は、少なくとも一つの圧力検知パネル３２５１、または複数の圧力検知パネル３２５１と３２５２を有し、複数の圧力検知ユニット３２５１と圧力検知パネル３２５２は分離的にサイド部３６２に設けられ、処理ユニット３３にカップリングされている。処理ユニット３３は、装置本体３６にカップリングされ、または装置本体３６の中に配置されている。例えば、情報入力装置８４は、発光ダイオード表示スクリーン３１５、少なくとも一つの圧力検知パネル３２５１及び処理ユニット３３によって、情報入力装置８４が複数の操作モードM1、M2、M3のいずれにおいて操作されるようにする。例えば、少なくとも一つの圧力検知パネル３２５１は、少なくとも一つの押圧点A11を提供する。
【００８６】
他の実施例において、情報入力装置８４は、装着式通信装置（例えば腕時計）である。例えば、情報入力装置８４はさらに装置本体３６にカップリングされる腕時計構造３７を含んでいる。腕時計構造３７は処理ユニット３３にカップリングされる。例えば、処理ユニット３３は、圧力検知ユニット３２に基づいて腕時計構造３７の設定機能を制御する。処理ユニット３３は、少なくとも一つの圧力検知パネル３２５１によって押圧している指の本数を検知して、数字入力情報の入力を行う。情報入力装置８４は装着式通信装置のデザイン感を保ちながら、本来装着式通信の携帯性も維持でき、ユーザーの使用意欲を高めている。
【００８７】
図８Aと図８Bは、それぞれ本案の変形例における情報入力装置８５の正面を示す模式図と、背面を示す模式図である。図３も合わせて参照する。情報入力装置８５は、表示ユニット３１と、圧力検知ユニット３２と、処理ユニット３３と、装置本体３６とを含んでいる。表示ユニット３１及び圧力検知ユニット３２は、処理ユニット３３と装置本体３６にカップリングされる。処理ユニット３３は、装置本体３６にカップリングされ、または装置本体３６の中に配置されている。情報入力装置８５の構造と操作方法は、情報入力装置３０、８１、８２及び８３の構造と操作方法と類似している。続いて情報入力装置８４の特徴を説明する。
【００８８】
他の実施例において、装置本体３６は、フロント部３６１と、フロント部３６１と対向するバック部３６３とを含んでいる。表示ユニット３１は表示素子３１７を含んでいてもよく、表示ユニット３１は表示素子３１７であってもよい。表示素子３１７はバック部３６３に配置されており、処理ユニット３３にカップリングされている。例えば、表示素子３１７は、選択部L1と、それぞれ複数のデフォルト圧力配置状態C01、C02、C03、C04…及びC12を表す複数のデフォルトのD01、D02、D03、D04…及びD12を提供している。
【００８９】
圧力検知ユニット３２はフロント部３６１に設けられ、少なくとも一つの圧力検知ユニット３２７１を含んでいてもよく、複数の圧力検知素子３２７１、３２７２、３２７３及び３２７４を含んでいてもよい。複数の圧力検知素子３２７１、３２７２、３２７３及び３２７４は分離的にフロント部３６１に設けられ、処理ユニット３３にカップリングされている。入力情報Q1は、代表符号FK1（例えばFK1はF04と同じ）を有している。表示素子３１７は特定表示領域３１７Aを含む。処理ユニット３３は装置本体３６にカップリングされ、表示素子３１７が特定表示領域３１７Aに代表符号FK1を表示するようにする。例えば、情報入力装置３０は、表示素子３１７、複数の圧力検知素子３２７１、３２７２…と３２７６及び処理ユニット３３によって、情報入力装置８５が複数の操作モードM1、M2とM3のいずれにおいて操作されるようにする。
【産業上の利用可能性】
【００９０】
他の実施例において、情報入力装置８５は、装着式通信装置(例えばブローチ)である。例えば、装置本体３６はブローチ構造３６８を含んでいる。処理ユニット３３は、複数の圧力検知素子３２７１、３２７２、３２７３及び３２７４によって、押圧している指の本数を検知して数字情報入力を行う。情報入力装置８５は、装着式通信装置のデザイン感を保ちながら、本来装着式装置の携帯性を維持でき、ユーザーの使用意欲を高める。
【００９１】
本案の多数の変形例を提出することによって、当業者が上記説明と関連図面が開示する長所に対する理解に役立つためのものである。そのため、本案は、開示している特定の実施例に制限されるのではない。また、変形例なども下記請求範囲の中に含まれると、理解すべきである。
【符号の説明】
【００９２】
10、20：ポータブル通信装置
11、41：タッチスクリーン
151、152、153、154、155、156、157、158、159、160、161、162：ボタン
21：スクリーン
22：回しボタン
270、271、272、273、274、275、276、277、278、279、280、281、282：デフォルト位置
30、81、82、83、84、85：情報入力装置
31：表示ユニット
310：表示パネル
315：発光ダイオード表示スクリーン
317：表示素子
32：圧力検知ユニット
320、3251、3252：圧力検知パネル
321：圧力検知アレイ
321A：圧力検知領域
3271、3272、3273、3274：圧力検知素子
33：処理ユニット
36：装置本体
361：フロント部
362：サイド部
363：バック部
368：ブローチ構造
37：腕時計構造
A11、A12、A13：押圧点
B1、B2：組合せ形態
BA：組合せ
C01、C02、C03、C04、C05、C06、C07、C08、C09、C10、C11、C12、C21、C32、C41、C52：デフォルト圧力配置状態
C81、C82、C83、C84、C85、C86、C87、C88、C89、C90、C91、C92：状態グループ
CA1、CA2：特定圧力配置状態
CG1：特定状態グループ
D01、D02、D03、D04、D05、D06、D07、D08、D09、D10、D11、D12、D21、D32、D41、D52：デフォルト位置目標
D81、D82、D83、D84、D85、D86、D87、D88、D89、D90、D91、D92：目標グループ
DA1、DA2：特定位置目標
E81、E82、E83、E84、E85、E86、E87、E88、E89、E90、E91、E92：グループ位置
E01、E02、E03、E04、E05、E06、E07、E08、E09、E10、E11、E12、E21、E32、E41、E52：デフォルト符号位置
F01、F02、F03、F04、F05、F06、F07、F08、F09、F10、F11、F12、F21、F32、F41、F52：デフォルト符号
FK1：代表符号
G1、G2、G3、317A：特定表示領域
GA1、GA1、GA1：圧力メーター
H01、H02、H03、H04、H05、H06、H07、H08、H09、H10、H11、H12、H81、H82、H83、H84、H85、H86、H87、H88、H89、H90、H91、H92：格子
K01、K02、K03、K04、K05、K06、K07、K08、K09、K10、K11、K12、K21、K32、K41、K52：デフォルトコード
KA1：特定コード
L1：選択部
M1、M2、M3：操作モード
N1：数
N11、N12：整数
NA：デフォルト押圧点の数
NG：グループ押圧点の数
P1：操作圧力
P11、P12：圧力レベル
P1A、P1B、P1C：子圧力
PC：圧力分量
PG：グループ圧力範囲
PR：デフォルト圧力範囲
Q1：入力情報
Q2：付加入力情報
RA1：特定デジタル化圧力レベル
RP：デジタル化圧力
S1、S2：信号
T11、T12：特定時間
TR：デフォルト停留時間範囲
U1：入力コマンド
【図１】
2016015112.tif 000003
【図２】
2016015112.tif 000004
【図３】
2016015112.tif 000005
【図４】
2016015112.tif 000006
【図５】
2016015112.tif 000007
【図６】
2016015112.tif 000008
【図７】
2016015112.tif 000009
【図８Ａ】
2016015112.tif 000010
【図８Ｂ】
2016015112.tif 000011